(57)【要約】【課題】リーダ部材を保持するばね部材の変形を防止するようにしたテープカートリッジを提供する。【解決手段】このテープカートリッジは、テープ状記録媒体がその周囲に巻回されるリールハブ部をケース内に回転可能に収容し、テープ状記録媒体の先端を固定するために全体として円筒状に構成されたリーダ部材を備え、リーダ部材は、ケース１の開口７３を通して使用時に引き出されるとともに使用終了時に引き込まれてリーダ部材の端部８１ｄがケース内の所定位置７０でばね部材７４で保持され位置決めされて収まり、リーダ部材が所定位置に向けて引き込まれて端部８１ｄがばね部材の先端部７４ａに当接したとき先端部が端部の保持を解除する方向ａに移動するようにばね部材７４が直線状に延びる直線部からリーダ部材の端部に当接する先端部に向けて複数箇所で折り曲げられている。【選択図】  図８
2004355719.tif 000002
【特許請求の範囲】
【請求項１】
テープ状記録媒体がその周囲に巻回されるリールハブ部をケース内に回転可能に収容するとともに前記テープ状記録媒体の先端を固定するために全体として円筒状に構成されたリーダ部材を備えるテープカートリッジであって、
前記リーダ部材は、前記ケースの側面に設けられた開口を通して前記テープカートリッジの使用時に引き出されるとともに使用終了時に引き込まれて前記リーダ部材の端部が前記ケース内の所定位置でばね部材で保持され位置決めされて収まるように構成され、
前記リーダ部材が前記所定位置に向けて引き込まれ前記端部が前記ばね部材の先端部に当接したとき前記先端部が前記端部の保持を解除する方向に移動するように前記ばね部材が直線状に延びる直線部から前記リーダ部材の端部に当接する前記先端部に向けて複数箇所で折り曲げられていることを特徴とするテープカートリッジ。
【請求項２】
前記ばね部材は、片持はり式に支持される他端部と、前記他端部から直線状に延びる直線部とを有することを特徴とする請求項１に記載のテープカートリッジ。
【請求項３】
前記ばね部材の前記先端部は、前記端部を前記所定位置で保持するときに前記端部と当接する第１当接部と、前記リーダ部材が前記所定位置に向けて引き込まれるときに前記第１当接部と離れた位置で前記端部と当接可能な第２当接部と、を有し、
前記リーダ部材が前記所定位置に向けて引き込まれ前記端部が前記ばね部材の前記第２当接部に当接したときに前記第１当接部が前記所定位置から離れるように移動することを特徴とする請求項１または２に記載のテープカートリッジ。
【発明の詳細な説明】
【０００１】
【発明の属する技術分野】
本発明は、外部に引き出されかつ内部に引き込まれるテープ状記録媒体の先端に取り付けられたリーダ部材を備えるテープカートリッジに関する。
【０００２】
【従来の技術】
１リールタイプのテープカートリッジは単一のリールハブ部を内部に有し、そのハブ周囲にテープ状記録媒体が巻回されており、コンピュータ用のバックアップデータ保存等のために使用されている。かかるテープカートリッジがコンピュータ用の磁気記録再生装置に装着されると、リールハブ部のハブ周囲に巻回されたテープ状記録媒体が引き出されて磁気記録再生装置側のリールハブ部に巻回されて両者間でテープ状記録媒体が走行することで、記録・再生が行われるようになっている。
【０００３】
上述のようなテープカートリッジにおいてテープ状記録媒体の先端部分には、全体として円筒状に構成されたリーダ部材が取り付けられており、リーダ部材はテープ状記録媒体の先端をその周囲で保持し固定している。リーダ部材は、ケースの側面の開口を通してテープカートリッジの使用時にテープ状記録媒体を引っ張るようにしてテープカートリッジのケースから引き出され、また、逆に使用終了時にはリールハブ部側から引っ張られるようにして引き込まれてリーダ部材の円筒状の端部がケース内の所定位置に収まる。このようなリーダ部材がケース内で所定位置に収まる従来の構成を図９に示す。図９は従来のテープカートリッジのケースの内面を示す要部平面図である。
【０００４】
図９のように、リーダ部材１０１がケースＣ内に引き込まれたとき、テープカートリッジのケースＣの内面に半円状に形成された直立壁１０３で決められた円形状の所定位置１０２に位置決めされて収まるが、この所定位置１０２に収まったリーダ部材１０１の円筒状の端面をばね部材１０６が当接面１０７で押さえ付けるようになっている。
【０００５】
【発明が解決しようとする課題】
記録再生装置の保持部材がリーダ部材１０１を引き出すとき、保持部材のオーバーストロークや装置間のばらつき等で直立壁１０３にリーダ部材１０１が押し付けられることがある。これが繰り返されたときの直立壁の強度を維持するには直立壁と底面との接触面積を増大させるためリブ１０５の平面幅ｂを広くすることが望ましい。
【０００６】
しかしながら、リブ１０５の平面幅ｂを広くすると、直線状のばね部材１０６が円形状の所定位置１０２に向けてリブ１０５近傍の折り曲げ部１０９で比較的大きく折り曲げる必要があり、このため、リーダ部材１０１が外部からケースＣの側面の開口１０４を通して引き込まれ、図の１点鎖線のようにばね部材１０６の外側当接面１０８に当接したとき、ばね部材１０６の当接面１０７及び外側当接面１０８を含む先端部分が図の左方に逃げないで、ばね部材１０６の先端部分がリーダ部材１０１の進入方向に変形してしまう恐れがある。ばね部材１０６の先端部分が変形してしまうと、リーダ部材が所定の位置に収まらなくなったり、リーダ部材を所定の位置に保持できなくなる、といった問題が発生する。
【０００７】
本発明は、上述のような従来技術の問題に鑑み、リーダ部材を保持するばね部材の変形を防止するようにしたテープカートリッジを提供することを目的とする。
【０００８】
【課題を解決するための手段】
本発明によるテープカートリッジは、テープ状記録媒体がその周囲に巻回されるリールハブ部をケース内に回転可能に収容するとともに前記テープ状記録媒体の先端を固定するために全体として円筒状に構成されたリーダ部材を備えるテープカートリッジであって、前記リーダ部材は、前記ケースの側面に設けられた開口を通して前記テープカートリッジの使用時に引き出されるとともに使用終了時に引き込まれて前記リーダ部材の端部が前記ケース内の所定位置でばね部材で保持され位置決めされて収まるように構成され、前記リーダ部材が前記所定位置に向けて引き込まれ前記端部が前記ばね部材の先端部に当接したとき前記先端部が前記端部の保持を解除する方向に移動するように前記ばね部材が直線状に延びる直線部から前記リーダ部材の端部に当接する前記先端部に向けて複数箇所で折り曲げられていることを特徴とする。
【０００９】
このテープカートリッジによれば、リーダ部材が所定位置に向けて引き込まれその端部がばね部材の先端部に当接したとき、ばね部材が弾性変形し、ばね部材の先端部がリーダ部材の端部の保持を解除する方向に移動する。即ち、ばね部材は直線状に延びる直線部からリーダ部材の端部に当接する先端部までの間を複数箇所で折り曲げる構成にされ、直線部から先端部に向かう始めの折り曲げ部の折り曲げ角度を小さくできるので、リーダ部材が進入したとき、先端部がリーダ部材の進入方向に変形することなくスムースに保持解除方向に逃げることができる。このため、リーダ部材を保持するばね部材の変形を防止することができる。
【００１０】
上記テープカートリッジにおいて、前記ばね部材は、片持はり式に支持される他端部と、前記他端部から直線状に延びる直線部と、を有するように構成できる。
【００１１】
また、前記ばね部材の前記先端部は、前記端部を前記所定位置で押さえ付けるときに前記端部と当接する第１当接部と、前記リーダ部材が前記所定位置に向けて引き込まれるときに前記第１当接部と離れた位置で前記端部と当接可能な第２当接部と、を有し、前記リーダ部材が前記所定位置に向けて引き込まれ前記端部が前記ばね部材の前記第２当接部に当接したときに前記第１当接部が前記所定位置から離れるように移動するように構成できる。
【００１２】
なお、上記テープカートリッジにおいて前記リーダ部材は、一対の鍔部間に前記テープ状記録媒体が位置するピン部材と、円筒体の両端面に渡って円筒体長手方向に形成された開口から前記鍔部間に嵌り込んで前記ピン部材との間で前記テープ状記録媒体をクランプするクランプ部材と、を備えるように構成できる。
【００１３】
また、前記所定位置は、前記リーダ部材の前記端部の形状に適合するように平面的に半円状に形成されるとともに前記ケースの内面から直立した直立壁から画定されるように構成できる。
【００１４】
また、前記半円状の直立壁の端近傍のリブ部が前記ばね部材の直線部と前記所定位置との間に位置するように構成できる。この場合、リブ部の平面幅を比較的広く構成しリブ部及び直立壁の強度を保ちながら、ばね部材の直線部から先端部に向けて比較的大きく折り曲げる必要がある場合でも、上述のように、ばね部材の先端部が保持解除方向に移動できる。
【００１５】
【発明の実施の形態】
以下、本発明による実施の形態について図面を用いて説明する。図１は本実施の形態によるテープカートリッジの分解斜視図、図２は図１のテープカートリッジでリールハブ部がロックされている状態を示す縦断面図、図３は同じくリールハブ部がロック解除されている状態を示す縦断面図である。なお、図１には上ケース１及びハブ３２をそれぞれ裏面側から見た斜視図を併せて示す。
【００１６】
図１に示すテープカートリッジ１００は、上ケース１と下ケース２とから矩形平面状の１リールタイプに構成され、テープ状記録媒体である磁気記録テープ（以下、単に「テープ」という場合もある。）を巻回するリールハブ部３を内部に有し、記録再生装置に装着されたときに、リールハブ部３が回転可能になるように構成されている。上ケース１と下ケース２は、組み合わされて矩形平面状のケースを構成し、それぞれ樹脂材料から成形により製造できる。
【００１７】
リールハブ部３は、上フランジ３１と、下フランジ３３と、下フランジ３３と一体に形成されその周面に磁気記録テープを巻回するハブ３２とを備える。また、図１のように、ハブ３２の下面３２ａ側には軟磁性体よりなる円形状の金属板３４が一体に設けられている。金属板３４の周囲には記録再生装置側の駆動部材８５（図３）の歯部と係合する係合歯３４ａが円周方向に三分割して設けられており、各係合歯３４ａの間には複数の孔３４ｂが下面３２ａの反対面に貫通して形成されている。金属板３４、係合歯３４ａ及び複数の孔３４ｂは下ケース２の貫通孔２１を通して外部に露出する。
【００１８】
また、ハブ３２の内側であって下面３２ａの反対面にはブレーキロック部材５の歯部５１と噛み合い係合するように多数の歯が円形状に並んだ歯部３５が円周方向に複数に分割して設けられている。歯部３５はポリカーボネート（ＰＣ）等の樹脂材料から成形で製造できるが、この場合、ガラス繊維を混入することで強度を高めるようにしてもよい。
【００１９】
図１，図２のように、ブレーキロック部材５は、ハブ３２の内側に配置され、ハブ３２の歯部３５と噛み合い係合するように多数の歯が円形状に並んだ歯部５１と、歯部５１よりも小径の円筒端面に形成された十字状の係合穴５ａと、十字状の穴５ａの周囲の端部５ｂと、歯部５１の裏面側にブレーキロックスプリング４の端部４ｂが収まるように形成されたリング状溝５ｃとを備える。ブレーキロック部材５はＰＯＭ（ポリオキシメチレン）等の樹脂材料から成形で製造できる。
【００２０】
ブレーキロック部材５は、図１，図２のように、その十字状の孔５ａに上ケース１の内面１ａに直立して設けられた複数の係合突起部１ｃが入り込んで図の上下方向に移動可能に係合して上ケース１に取り付けられる。ブレーキロックスプリング４は、その先端４ａが上ケース１の内面１ａのリング状溝１ｂにはまり込むようになっており、上ケース１のリング状溝１ｂとブレーキロック部材５のリング状溝５ｃとの間に位置し、ブレーキロック部材５を図２の方向Ｂに常時付勢して、歯部５１とハブ３２の歯部３５とが噛み合い係合することでリールハブ部３の回転を妨げてブレーキ状態にする。
【００２１】
ブレーキ解除部材６は、ハブ３２とブレーキロック部材５との間に配置され、主板６ａと、主板６ａの周囲の複数箇所から図の下方に突き出た複数の脚部６ｂとを備える。複数の脚部６ｂは、ハブ３２の下面の複数の孔３４ｂに挿入され、テープカートリッジが記録再生装置に装着されると、ブレーキ解除部材６の脚部６ｂが図の下から押されて上方に持ち上げられる。これにより、図３のようにブレーキロック部材５がブレーキ解除部材６の当て板６１を介して中心の凸状の軸受部５２でブレーキロックスプリング４の付勢力に抗して上方へ持ち上げられて端部５ｂが内面１ａに接近するように非ロック位置に移動するようになっている。
【００２２】
また、リールハブ部３に巻回された磁気記録テープの先端８３（図１の破線で示す）がリーダ部材８に固定される。リーダ部材８では、磁気記録テープの先端８３がピン部材８１に巻きつけられ、その上からクランプ部材８２が嵌め込まれることで固定される。テープカートリッジが記録再生装置に装着されると、リーダ部材８が装置側の保持部材に係合し保持されてテープ引き出し開口７３（図１）を通して装置側に引き出されるようになっている。
【００２３】
また、テープ引き出し開口７３はドア部材７によって開閉され、ドア部材７は、ばね部材１０により常時テープ引き出し開口７３を閉鎖する方向へ付勢されており、記録再生装置に装着されると、装置側の開放部材（図示省略）によりばね部材１０の付勢力に抗して開放されるようになっている。
【００２４】
図１〜図３に示すテープカートリッジは、保管時等の非使用時にはブレーキロック部材５がブレーキロックスプリング４により付勢されて図２のようにロック位置まで移動し、ブレーキロック部材５の歯部５１の各歯５４とリールハブ部３のハブ３２の歯部３５の各歯とが噛み合い係合することで、リールハブ部３がブレーキ状態となって回転できず、不要な回転が防止され磁気記録テープの緩みを防止できる。
【００２５】
図５によりリーダ部材について説明する。図５は図１のリーダ部材の斜視図である。図５のように、リーダ部材８は、全体として細長い円筒形状に形成されたピン部材８１と、ピン部材８１に嵌め込まれるクランプ部材８２と、から構成され、全体として円筒状に構成されている。
【００２６】
ピン部材８１は、磁気記録テープが位置し巻き付けられる心棒部８１ａと、心棒部８１ａの両端に位置し厚さが比較的薄く構成された鍔部８１ｂ、８１ｃと、両端部に設けられた比較的厚さが薄く短い円板部８１ｄ、８１ｅと、鍔部８１ｂ、８１ｃと円板部８１ｄ、８１ｅとの間にそれぞれ形成された凹部状の係合部８５ａ、８５ｂと、を備える。ピン部材８１はステンレス鋼等の金属材料から構成される。
【００２７】
クランプ部材８２は、図５のように、細長い円筒形状体から構成され、その長手方向に延びて形成された開口８２ａを有し、横断面がＣ字形状になっている。クランプ部材８２は、ＰＣ（ポリカーボネート）、ＰＯＭ（ポリオキシメチレン）、ＰＡ（ポリアミド）等の樹脂材料から射出成形により製造することができる。
【００２８】
リーダ部材８は、クランプ部材８２が開口８２ａからピン部材８１の鍔部８１ｂと８１ｃとの間で磁気記録テープの先端部８３（図５の破線で示す）を間に挟んで心棒部８１ａに嵌め込まれることで、磁気記録テープＴの先端部８３を心棒部８１ａの外周面とクランプ部材８２の内周面との間に挟んでクランプし固定するようになっている。
【００２９】
次に、テープカートリッジが記録再生装置に装着された場合を図４を更に参照して説明する。図４は記録再生装置において図１〜図３のテープカートリッジから引き出されたテープの走行経路を概念的に示す正面図である。
【００３０】
図３に示すように、装置２００側の駆動部材８５は、ハブ３２の係合歯３４ａに係合する歯部８８がその外周に形成され、歯部８８の内周側にリング状のマグネット８７が埋め込まれている。
【００３１】
図４のように、テープカートリッジ１００が記録再生装置２００に装着されると、図３のように、装置２００側の駆動部材８５とテープカートリッジ１００とが相対的に接近し、駆動部材８５が下ケース２の貫通孔２１をとおり、駆動部材８５のマグネット８７がハブ３２の下面３２ａ側の軟磁性体よりなる金属板３４に接近し金属板３４を磁気的に吸引し、駆動部材８５の歯部８８がハブ３２の係合歯３４ａに係合する。そして、駆動部材８５の歯部８８の突起によりブレーキ解除部材６が脚部６ｂで図２の方向Ｂ’（方向Ｂと反対方向）に移動することで、ブレーキロック部材５がブレーキロックスプリング４の付勢力に抗して一定のストロークだけ移動し、図３のように非ロック位置に至り、歯部５１と歯部３５との間に隙間ができて両者の噛み合いが解除される。この結果、駆動部材８５の駆動軸８６の回転によりリールハブ部３が回転できるようになる。
【００３２】
次に、ドア部材７が記録再生装置２００側の開放部材（図示省略）により開放され、リーダ部材８が図５の係合部８５ａ、８５ｂで装置２００側の保持部材（図示省略）に係合し保持された状態で磁気記録テープを引っ張りながらテープ引き出し開口７３を通して装置２００側に引き出され、磁気記録テープＴがリールハブ部２０４のハブ周囲に巻回される。
【００３３】
そして、テープカートリッジ１００のリールハブ部３と記録再生装置２００のリールハブ部２０４とが回転駆動されることで、図４のように、磁気記録テープＴが図の水平方向Ｘまたはその反対の水平方向Ｘ’に記録再生ヘッド２０２の両側でガイド２０１，２０３にガイドされて走行しながら記録再生ヘッド２０２により磁気記録テープＴに対し記録または再生が行われる。
【００３４】
次に、図１，図５のリーダ部材がテープカートリッジ内部の所定位置に収まる構成について図６，図７，図８を参照して説明する。図６は図１〜図３の上ケースの内面にリーダ部材が収まる所定位置及びばね部材を示す要部斜視図である。図７は図６の上ケースの内面の所定位置にリーダ部材が収まった状態を示す要部斜視図である。図８は図７の上ケースの内面の所定位置にリーダ部材が収まった状態を示す要部平面図である。
【００３５】
図６、図８に示すように、上ケース１の内面１ａには、図５のリーダ部材８の円板部８１ｄの形状に適合した平面的に半円状の所定領域７０が形成されている。所定領域７０は、内面１ａ上の平面状の厚肉部７１ａから落ち込むようにして半円状に形成され、上ケース１の内面１ａから厚肉部７１ａに直立した直立壁７１から画定されている。内面１ａには半円状の所定領域７０から開口７３に向けて扇状に広がるようにリーダ部材８の通路７３ａが形成されている。
【００３６】
また、板状のばね部材７４が上ケース１の内面１ａに対し垂直方向に設けられ、後端部８０で内面１ａの支持部７１ｂに支持されている。
【００３７】
ばね部材７４は、後端部８０から直線状に延びた直線部７５と、直線部７５から所定領域７０に向けて折り曲がる第１折り曲がり部７６と、第１折り曲がり部７６から離れて所定領域７０に向けて更に折り曲がる第２折り曲がり部７７と、所定領域７０に収まったリーダ部材８の円板部８１ｄに当接する第１当接部７８と、リーダ部材８が外部から開口７３を通して引き込まれたときに円板部８１ｄが図８の１点鎖線のように当接可能な第２の当接部７９と、を備え、第１、第２折り曲がり部７６、７７と、第１、第２当接部７８、７９とで先端部７４ａを構成している。
【００３８】
図６〜図８のように、半円状の所定領域７０とばね部材７４との間に厚肉部７１ａが延びて直立壁７１の端部に位置しリブ部７２を構成している。リブ部７２は半円状の所定領域７０とばね部材７４の直線部７４，第１，第２折り曲がり部７６，７７との間に位置し、その平面幅ｗが比較的厚く構成されている。このため、直立壁７１及びリブ部７２の強度を充分に得ることができる。
【００３９】
図７、図８に示すように、リーダ部材８がテープカートリッジ１００の内部に引き込まれると、リーダ部材８の端部である円板部８１ｄが直立壁７１に包囲され所定領域７０に収まるが、このとき、リーダ部材８は円板部８１ｄがばね部材７４の第１当接部７８で押し付けられ保持されて所定位置に位置決めされるようになっている。
【００４０】
なお、リーダ部材８の他の端部の円板部８１ｅに対し下ケース２側が上述と同様に構成されており、リーダ部材８は両端の円板部８１ｄ、８１ｅでばね部材により押し付けられながら所定位置に収まり位置決めされる。
【００４１】
次に、図１〜図８によりリーダ部材８のテープカートリッジ内部への引き込み動作について説明する。図４のように、記録再生装置２００に装着されたテープカートリッジ１００のリーダ部材８が装置側に引き出され、装置側のリールハブ部２０４とテープカートリッジ１００のリールハブ部３とが回転しながら磁気記録テープＴに記録・再生が行われるが、この記録・再生の終了後、リールハブ部３側に磁気記録テープＴが巻き取られながらリーダ部材８が引っ張られてテープカートリッジ１００内に開口７３を通して引き込まれる。
【００４２】
リーダ部材８が開口７３から通路７３ａを通過しながら引き込まれると、リーダ部材８の通路７３ａでの位置によっては円板部８１ｄが図８の１点鎖線のようにばね部材７４の第２当接部７９に当接することがある。この当接により、ばね部材７４は弾性変形し先端部７４ａが図８の矢印方向ａに移動し、リーダ部材８が更に引き込まれと、円板部８１ｄが図８の破線のようにばね部材７４の押さえ付け弾性力に抗して先端部７４ａを通路７３ａ外に押しやりながら、所定領域７０内に直立壁７１に当接するようにして収まる。
【００４３】
また、上述のようなリーダ部材８に対する引き込み力は規格により決められているが、リブ部７２は平面幅ｗが比較的厚く構成されているので、直立壁７１・リブ部７２が充分な強度を有し、直立壁７１はリーダ部材８が引き込まれて当接しても破損等のおそれが少ない。
【００４４】
上述のように、平面幅ｗの比較的厚いリブ部７２が所定領域７０とばね部材７４との間に存在するため直線部７５から第１当接部７８に向けての折り曲げ角度が大きくなるが、ばね部材７４の先端部７４ａが直線部７５から第１当接部７８までの間で第１，第２折り曲げ部７６、７７において折り曲げられており、直線部７５から先端部７４ａに向けて折り曲げ角度が分散し、１箇所における曲げ角度がきつくなりすぎないので、リーダ部材８１の当接時に先端部７４ａが解除方向ａに移動するようにばね部材７４が弾性変形する。
【００４５】
以上のようにして、リーダ部材８の円板部８１ｄが所定領域７０内に収まると、ばね部材７４の先端部７４ａが弾性復元し図８の実線位置で円板部８１ｄを第１当接部７８が押さえ付け保持することで、リーダ部材８は所定領域７０に収まり位置決めされる。そして、ドア部材７が開口７３を閉塞し、テープカートリッジ１００が記録再生装置２００から取り出し可能となる。
【００４６】
以上のように、本実施の形態のテープカートリッジ１００によれば、使用終了後にリーダ部材８が内部に引き込まれ、その端部の円板部８１ｄがばね部材７４の先端部７４ａの第２当接部７９に当接したとき、ばね部材７４の先端部７４ａが第１当接部７８による円板部８１ｄの押さえ付けを解除する解除方向ａに弾性変形するので、リーダ部材８の位置がずれずにリーダ部材８が所定領域７０により決まる所定位置に収まることができる。
【００４７】
以上のように本発明を実施の形態及び実施例により説明したが、本発明はこれらに限定されるものではなく、本発明の技術的思想の範囲内で各種の変形が可能である。例えば、図８のばね部材７４の先端部７４ａが直線部７５と第１当接部７８との間で更に多段に折り曲げられていてもよい。
【００４８】
【発明の効果】
本発明によれば、テープ状記録媒体の先端に固定されたリーダ部材が内部に引き込まれ、リーダ部材保持のためのばね部材に当接したときに、ばね部材の変形を防止することのできるテープカートリッジを提供できる。
【図面の簡単な説明】
【図１】本実施の形態によるテープカートリッジの分解斜視図である。
【図２】リールハブ部がロック位置でロックされている状態の図１のテープカートリッジの縦断面図である。
【図３】リールハブ部が非ロック位置でロック解除されている状態の図１のテープカートリッジの縦断面図である。
【図４】図１〜図３のテープカートリッジから記録再生装置に引き出されたテープの走行経路を概念的に示す正面図である。
【図５】図１のリーダ部材の斜視図である。
【図６】図１〜図３の上ケースの内面にリーダ部材が収まる所定位置及びばね部材を示す要部斜視図である。
【図７】図６の上ケースの内面の所定位置にリーダ部材が収まった状態を示す要部斜視図である。
【図８】図７の上ケースの内面の所定位置にリーダ部材が収まった状態を示す要部平面図である。
【図９】従来のテープカートリッジのケースの内面を示す要部平面図である。
【符号の説明】
１００・・・テープカートリッジ
１・・・上ケース
１ａ・・・上ケースの内面
２・・・下ケース
３・・・リールハブ部
８・・・リーダ部材
８１ｄ，８１ｅ・・・円板部（リーダ部材の端部）
７０・・・所定領域（所定位置）
７１・・・直立壁
７２・・・リブ部
７３・・・テープ引き出し開口
７４・・・ばね部材
７４ａ・・・先端部
７５・・・直線部
７６・・・第１折り曲げ部
７７・・・第２折り曲げ部
７８・・・第１当接部
７９・・・第２当接部
８３・・・磁気記録テープの先端部
Ｔ・・・磁気記録テープ（テープ状記録媒体）
ｗ・・・リブ部の平面幅
ａ・・・解除方向
【図１】
2004355719.tif 000003
【図２】
2004355719.tif 000004
【図３】
2004355719.tif 000005
【図４】
2004355719.tif 000006
【図５】
2004355719.tif 000007
【図６】
2004355719.tif 000008
【図７】
2004355719.tif 000009
【図８】
2004355719.tif 000010
【図９】
2004355719.tif 000011